(57)【要約】【課題】扉閉時に表示器をオフ冷蔵庫においては、扉開閉検知手段の故障時には扉が開いたときにも表示器が消灯してしまい、表示内容を確認することができなかった。【解決手段】扉開閉判定手段１３、明るさ決定手段１４、明るさ調節手段１５、表示内容決定手段１６を備えた制御手段１２と、扉開閉検出手段１１とを備え、扉の開閉状態に応じて表示器１７の明るさを調節することにより、扉開閉検知手段の故障時にも設定温度や運転状態を確認することができるものである。【選択図】図１
2006046746.tif 000002
【特許請求の範囲】
【請求項１】
貯蔵室内に設定温度や運転状態を表示する表示器を有する冷蔵庫において、前記表示器が設置された貯蔵室の扉の開閉状態に応じて前記表示器の表示の明るさを調節する制御手段を備えた冷蔵庫の制御装置
【請求項２】
前記制御手段は、電圧を調節することにより表示の明るさを調節することを特徴とした請求項１に記載の冷蔵庫の制御装置
【請求項３】
前記制御手段は、電流を調節することにより表示の明るさを調節することを特徴とした請求項１に記載の冷蔵庫の制御装置
【請求項４】
前記制御手段は、デューティ制御することにより表示の明るさを調節することを特徴とした請求項１に記載の冷蔵庫の制御装置
【請求項５】
扉が閉じられてから一定時間後に前記表示器の表示の明るさを減少させる請求項１から４のいずれか一項に記載の冷蔵庫の制御装置
【請求項６】
扉が閉じられている時に前記表示器の表示内容の一部の表示の明るさを調節させる請求項１から４のいずれか一項に記載の冷蔵庫の制御装置
【請求項７】
自己診断表示モードを有し、異常表示が行われている状態中は前記表示器の表示の明るさを上げる請求項１から４のいずれか一項に記載の冷蔵庫の制御装置
【請求項８】
サービス用の特殊表示モードを有し、特殊表示が行われている状態中は前記表示器の表示の明るさを上げる請求項１から４のいずれか一項に記載の冷蔵庫の制御装置
【発明の詳細な説明】
【技術分野】
【０００１】
本発明は、貯蔵室内に設定温度や運転状態を表示する表示器を有する冷蔵庫の制御装置に関するものである。
【背景技術】
【０００２】
従来この種の冷蔵庫においては貯蔵室内に設定温度や運転状態を表示する表示器を備えており、扉の開閉により表示をオンオフ制御制御する方法が提案されている。（例えば、特許文献１参照）
図８は特許文献１に記載された従来の冷蔵庫の制御装置を示すものである。図８に示すように、表示装置１と、表示灯スイッチ２と、ドアスイッチ３と、制御部４により構成されている。
【０００３】
以上のように構成された冷蔵庫の制御装置について、以下その動作を説明する。
【０００４】
扉が閉じている場合には、ドアスイッチ３より、制御部４に扉が閉じている場合の信号が入力され、表示灯スイッチ２をオフすることにより、表示装置１の表示をオフする。扉が開いた場合にはドアスイッチ３より、制御部４に扉が開いている場合の信号が入力され、表示灯スイッチ２をオンすることにより、表示装置１の表示をオンする。
【特許文献１】特開平９−２６４６５９号公報
【発明の開示】
【発明が解決しようとする課題】
【０００５】
しかしながら、上記従来の構成では、扉開閉検知手段の故障時には扉が開いたときにも表示器が消灯してしまい、表示内容を確認できないという課題を有していた。
【０００６】
また、扉の開閉を検知してから表示器が点灯するまでタイムラグあり、使用者が表示内容を確認できるまで時間がかかるという課題を有していた。
【０００７】
本発明は上記従来の課題を解決するもので、消費電力を抑えながら、扉開閉検知手段の故障時や、扉開閉直後にも表示器の表示内容を確認できる冷蔵庫を提供することを目的とする。
【課題を解決するための手段】
【０００８】
上記従来の課題を解決するために、本発明の冷蔵庫の制御装置は、表示器が設置された貯蔵室の扉の開閉状態に応じて前記表示器の明るさを調節するとしたものである。
【０００９】
これによって扉が閉状態おいて表示器の表示を消灯するのではなく、明るさを減少させることができる。
【００１０】
また、本発明の冷蔵庫は、扉が閉じられてから一定時間後に表示の明るさを減少させるとしたものである。
【００１１】
これによって扉が閉状態になった直後に表示器の表示を消灯するのではなく、一定時間後に明るさを減少させることができる。
【００１２】
また、本発明の冷蔵庫は、扉が閉じられている時に表示内容の一部の表示の明るさを調節させるとしたものである。
【００１３】
これによって扉が閉状態において、表示器の全表示内容を消灯するのではなく、一部の表示内容の明るさを調節させることができる。
【００１４】
また、本発明の冷蔵庫は、自己診断表示モードを有し、異常表示が行われている状態中は表示器の表示の明るさを上げるとしたものである。
【００１５】
これによって扉が閉状態においても、自己診断表示モードでは表示の明るさを上げることができる。
【００１６】
また、本発明の冷蔵庫は、サービス用の特殊表示モードを有し、特殊表示が行われている状態中は表示器の表示の明るさを上げるとしたものである。
【００１７】
これによって扉が閉状態においても、サービス用の特殊表示モードでは表示の明るさを上げることができる。
【発明の効果】
【００１８】
本発明の冷蔵庫の制御装置は、扉が閉状態にあると検知された場合に表示器の明るさを減少させて消費電力の低減を図るとともに、扉開閉検知手段の故障時や扉開放直後にも設定温度や運転状態を確認することができる。
【００１９】
また、本発明の冷蔵庫の制御装置は、扉が閉められてからすぐに開けられる場合においては明るさ調節を行わず、使用者に表示の明るさが変動することによる不安感を感じさせないとともに、明るさ調節装置の寿命を延ばすことができる。
【００２０】
また、本発明の冷蔵庫の制御装置は、使用者が確認することが少ない表示内容は明るさを減少させて消費電力の低減を図るとともに、確認することが多い表示内容については明るさを増したままとすることができ、表示内容の確認が容易となる。
【００２１】
また、本発明の冷蔵庫の制御装置は、異常時には扉の開閉状態に関わらず、表示が明るいので、使用者に異常を伝えやすくなる。
【００２２】
また、本発明の冷蔵庫の制御装置は、サービス時には扉の開閉状態に関わらず、表示が明るいので、特殊表示の内容を確認し易くなる。
【発明を実施するための最良の形態】
【００２３】
請求項１に記載の発明は、扉開閉検出手段と、明るさ調節手段を備えた制御手段と、表示器を備え、前記制御手段は表示器が設置された貯蔵室の扉の開閉状態に応じて前記表示器の表示の明るさを調節することにより、扉が閉状態おいて表示器の表示を消灯するのではなく、明るさを減少させることができ、扉が閉状態にあると検知された場合に表示器の明るさを減少させて消費電力の低減を図るとともに、扉開閉検知手段の故障時や扉開放直後にも表示内容を確認することができる。
【００２４】
請求項２に記載の発明は、請求項１に記載の発明において、明るさ調節手段を電圧を調節することにより表示の明るさを調節するものとすることにより、扉が閉状態おいて表示器の表示を消灯するのではなく、明るさを減少させることができ、扉が閉状態にあると検知された場合に表示器の明るさを減少させて消費電力の低減を図るとともに、扉開閉検知手段の故障時や扉開放直後にも表示内容を確認することができる。
【００２５】
請求項３に記載の発明は、請求項１に記載の発明において、明るさ調節手段を電流を調節することにより表示の明るさを調節するものとすることにより、扉が閉状態おいて表示器の表示を消灯するのではなく、明るさを減少させることができ、扉が閉状態にあると検知された場合に表示器の明るさを減少させて消費電力の低減を図るとともに、扉開閉検知手段の故障時や扉開放直後にも表示内容を確認することができる。
【００２６】
請求項４に記載の発明は、請求項１に記載の発明において、明るさ調節手段をデューティ制御することにより表示の明るさを調節するものとすることにより、扉が閉状態おいて表示器の表示を消灯するのではなく、明るさを減少させることができ、扉が閉状態にあると検知された場合に表示器の明るさを減少させて消費電力の低減を図るとともに、扉開閉検知手段の故障時や扉開放直後にも表示内容を確認することができる。
【００２７】
請求項５に記載の発明は、請求項１から４にいずれか一項に記載の発明において、扉が閉じられてから一定時間後に前記表示器の表示の明るさを減少させることにより、扉が閉状態になった直後に表示器の表示を消灯するのではなく、一定時間後に明るさを減少させることができ、扉が閉められてからすぐに開けられる場合においては明るさ調節を行わず、使用者に表示の明るさが変動することによる不安感を感じさせないとともに、明るさ調節装置の寿命を延ばすことができる。
【００２８】
請求項６に記載の発明は、請求項１から４にいずれか一項に記載の発明において、扉が閉じられている時に前記表示器の表示内容の一部の表示の明るさを調節させることにより、扉が閉状態において、表示器の全表示内容を消灯するのではなく、一部の表示内容の明るさを調節させることができ、使用者が確認することが少ない表示内容は明るさを減少させて消費電力の低減を図るとともに、確認することが多い表示内容については明るさを増したままとすることができ、表示内容の確認が容易となる。
【００２９】
請求項７に記載の発明は、請求項１から４にいずれか一項に記載の発明において、自己診断表示モードを有し、異常表示が行われている状態中は前記表示器の表示の明るさを上げることにより、扉が閉状態においても、自己診断表示モードでは表示の明るさを上げることができ、異常時には扉の開閉状態に関わらず、表示が明るいので、使用者に異常を伝えやすくなる。
【００３０】
請求項８に記載の発明は、請求項１から４にいずれか一項に記載の発明において、サービス用の特殊表示モードを有し、特殊表示が行われている状態中は前記表示器の表示の明るさを上げることにより、扉が閉状態においても、サービス用の特殊表示モードでは表示の明るさを上げることができ、サービス時には扉の開閉状態に関わらず、表示が明るいので、特殊表示の内容を確認し易くなる。
【００３１】
以下、本発明の実施の形態について、図面を参照しながら説明するが、従来例または先に説明した実施の形態と同一構成について同一符号を付して、その詳細な説明は省略する。なお、この実施の形態によってこの発明が限定されるものではない。
【００３２】
（実施の形態１）
図１は、本発明の実施の形態１における冷蔵庫の制御装置のブロック図である。
【００３３】
図１において、扉開閉検出手段１１は扉の開閉状態に応じた信号を出すものであり、例えばメカニカルスイッチやホールＩＣにて構成され、制御手段１２内の扉開閉判定手段１３にて扉の開閉状態が判定される。制御手段１２内の明るさ決定手段１４は前記扉開閉判定手段による扉の開閉状態により、表示器１７の明るさを決定し、明るさ調整手段１５により表示器１７の明るさの調整を行い、扉が閉状態にあるときは、表示器１７の明るさを減少させる。明るさの調節は、例えば電圧の調節、電流の調節、デューティ制御により行う。制御手段１２内の表示内容決定手段１６は冷蔵庫の設定温度および運転状態により表示器１７への表示内容を決定するものである。
【００３４】
図２は、本発明の実施の形態１における冷蔵庫の斜視図である。冷蔵庫本体１８の貯蔵室１９内に表示器１７が取り付けられており、使用者は扉を開けて、表示器に表示された冷蔵庫の設定温度および運転状態を確認する。また、貯蔵室下に扉開閉検出手段１１が取り付けられ、貯蔵室の扉の開閉を検知する。
【００３５】
図３は、本発明の実施の形態１における冷蔵庫の制御装置のフローチャートである。
【００３６】
以上のように構成された冷蔵庫の制御装置について、以下、図１と図３を用いて動作、作用を説明する。
【００３７】
まず制御手段１２は扉開閉検出手段１１からの信号により、扉の開閉状態を判断する（ステップ１０１）。
【００３８】
扉が開かれているときには通常の明るさで表示処理を実行する（ステップ１０２）。これにより扉が開けられた状態では使用者が確認しやすい表示を行う。
【００３９】
扉が閉められているときには減少した明るさで表示処理を実行する（ステップ１０３）。これにより、表示器１７による消費電力を抑える制御を行う。
【００４０】
以上のように、本実施の形態では表示器の明るさを扉開閉状態により調節することにより、扉が開状態では、冷蔵庫の設定温度および運転状態を容易に確認することができ、閉状態では、省エネルギー化を図れるとともに、扉開閉検出手段の故障時や扉開閉直後にも表示器の表示内容を確認することができる。
【００４１】
（実施の形態２）
図４は、本発明の実施の形態２の冷蔵庫の制御装置のフローチャートである。以下、図１と図４を用いて動作、作用を説明する。
【００４２】
まず制御手段１２は扉開閉検出手段１１からの信号により、扉の開閉状態を判断する（ステップ１０１）。
【００４３】
扉が開かれているときには通常の明るさで表示処理を実行する（ステップ１０２）。これにより扉が開けられた状態では使用者が確認しやすい表示を行う。
【００４４】
扉が閉められているときには、扉が閉められてからの時間を判定し（ステップ１０４）、Ｔ秒以内であれば、通常の明るさで表示処理を実行する（ステップ１０２）。これにより扉が閉状態になった直後に表示器の表示を消灯するのではなく、一定時間後に明るさを減少させることができる。
【００４５】
扉が閉められているときで、扉が閉められてからの時間がＴ秒以上であれば、減少した明るさで表示処理を実行する（ステップ１０３）。これにより、表示器１７による消費電力を抑える制御を行う。
【００４６】
以上のように、本実施の形態では表示器の明るさを扉開閉状態により調節するとともに、扉が閉められてからすぐに開けられる場合においては明るさ調節を行わず、使用者に表示の明るさが変動することによる不安感を感じさせないとともに、明るさ調節装置の寿命を延ばすことができる。
【００４７】
（実施の形態３）
図５は、本発明の実施の形態３の冷蔵庫の制御装置のフローチャートである。以下、図１と図５を用いて動作、作用を説明する。
【００４８】
まず制御手段１２は扉開閉検出手段１１からの信号により、扉の開閉状態を判断する（ステップ１０１）。
【００４９】
扉が開かれているときには通常の明るさで表示処理を実行する（ステップ１０２）。これにより扉が開けられた状態では使用者が確認しやすい表示を行う。
【００５０】
扉が閉められているときには、表示内容の一部の特定箇所かを判断する（ステップ１０５）。特定箇所であれば通常の明るさで表示処理を実行する（ステップ１０２）。また、特定箇所でない場合は減少した明るさで表示処理を実行する（ステップ１０３）。
【００５１】
以上のように、本実施の形態で、は扉が閉じられている時に前記表示器の表示内容の一部の表示の明るさを調節させることにより、扉が閉状態において、表示器の全表示内容を消灯するのではなく、一部の表示内容の明るさを調節させることができ、使用者が確認することが少ない表示内容は明るさを減少させて消費電力の低減を図るとともに、確認することが多い表示内容については明るさを増したままとすることができ、表示内容の確認が容易となる。
【００５２】
（実施の形態４）
図６は、本発明の実施の形態４の冷蔵庫の制御装置のフローチャートである。以下、図１と図６を用いて動作、作用を説明する。
【００５３】
まず制御手段１２は扉開閉検出手段１１からの信号により、扉の開閉状態を判断する（ステップ１０１）。
【００５４】
扉が開かれているときには通常の明るさで表示処理を実行する（ステップ１０２）。これにより扉が開けられた状態では使用者が確認しやすい表示を行う。
【００５５】
扉が閉められているときには、表示内容が自己診断による表示内容かを判断する（ステップ１０６）。自己診断による表示であれば通常の明るさで表示処理を実行する（ステップ１０２）。また、自己診断による表示でない場合は減少した明るさで表示処理を実行する（ステップ１０３）。
【００５６】
以上のように、本実施の形態では、自己診断表示モードを有し、異常表示が行われている状態中は前記表示器の表示の明るさを上げることにより、扉が閉状態においても、自己診断表示モードでは表示の明るさを上げることができ、異常時には扉の開閉状態に関わらず、表示が明るいので、使用者に異常を伝えやすくなる。
【００５７】
（実施の形態５）
図７は、本発明の実施の形態５の冷蔵庫の制御装置のフローチャートである。以下、図１と図７を用いて動作、作用を説明する。
【００５８】
まず制御手段１２は扉開閉検出手段１１からの信号により、扉の開閉状態を判断する（ステップ１０１）。
【００５９】
扉が開かれているときには通常の明るさで表示処理を実行する（ステップ１０２）。これにより扉が開けられた状態では使用者が確認しやすい表示を行う。
【００６０】
扉が閉められているときには、表示内容がサービス時の特殊表示による表示内容かを判断する（ステップ１０７）。サービス時の特殊表示による表示であれば通常の明るさで表示処理を実行する（ステップ１０２）。また、サービス時の特殊表示による表示でない場合は減少した明るさで表示処理を実行する（ステップ１０３）。
【００６１】
以上のように、本実施の形態では、サービス用の特殊表示モードを有し、特殊表示が行われている状態中は前記表示器の表示の明るさを上げることにより、扉が閉状態においても、サービス用の特殊表示モードでは表示の明るさを上げることができ、サービス時には扉の開閉状態に関わらず、表示が明るいので、特殊表示の内容を確認し易くなる。
【産業上の利用可能性】
【００６２】
以上のように、本発明にかかる冷蔵庫の制御装置は、扉が閉状態にあると検知された場合に表示器の明るさを減少させて消費電力の低減を図るとともに、扉開閉検知手段の故障時や扉開放直後にも表示内容を確認することが可能となるので、使用者が情報表示を必要とする時間が機器の動作時間よりみると短い機器において消費電力の低減を図りたい用途に適用できる。
【図面の簡単な説明】
【００６３】
【図１】本発明による実施の形態１の冷蔵庫の制御装置の制御ブロック図
【図２】同実施の形態の冷蔵庫の斜視図
【図３】同実施の形態の冷蔵庫の制御装置のフローチャート
【図４】本発明による実施の形態２の冷蔵庫の制御装置のフローチャート
【図５】本発明による実施の形態３の冷蔵庫の制御装置のフローチャート
【図６】本発明による実施の形態４の冷蔵庫の制御装置のフローチャート
【図７】本発明による実施の形態５の冷蔵庫の制御装置のフローチャート
【図８】従来の冷蔵庫の制御回路図
【符号の説明】
【００６４】
１１    扉開閉検出手段
１２    制御手段
１３    扉開閉判定手段
１４    明るさ決定手段
１５    明るさ調節手段
１６    表示内容決定手段
１７    表示器
１８    冷蔵庫本体
１９    貯蔵室
【図１】
2006046746.tif 000003
【図２】
2006046746.tif 000004
【図３】
2006046746.tif 000005
【図４】
2006046746.tif 000006
【図５】
2006046746.tif 000007
【図６】
2006046746.tif 000008
【図７】
2006046746.tif 000009
【図８】
2006046746.tif 000010